(57)【要約】【課題】加熱時におけるメッキ鋼板の放射率の変動による影響を抑制しつつメッキ鋼板の温度を計測することができる温度計測装置を提供する。【解決手段】温度計測装置４は、メッキ鋼板１から放射される放射光の光量を検出し、検出光量に応じた値を出力する検出手段４３と、検出手段の出力値とメッキ鋼板の実際の温度との間の対応関係を記憶した記憶手段４５と、出力値および対応関係に基づいてメッキ鋼板の温度を推定する推定手段４４と、を備える。【選択図】図２
2016188826.tif 000002
【特許請求の範囲】
【請求項１】
メッキ鋼板から放射される放射光の光量を検出し、検出光量に応じた値を出力する検出手段と、
前記検出手段の出力値と前記メッキ鋼板の実際の温度との間の対応関係を記憶した記憶手段と、
前記出力値および前記対応関係に基づいて前記メッキ鋼板の温度を推定する推定手段と、
を備えたことを特徴とする温度計測装置。
【請求項２】
前記推定手段は、前記出力値に対して前記実際の温度の候補が複数存在する場合、前記出力値の時系列データに基づいて前記メッキ鋼板の温度を推定する
ことを特徴とする請求項１に記載の温度計測装置。
【請求項３】
前記記憶手段は、前記実際の温度に対する前記検出手段の出力特性を示すモデルパターンを記憶しており、
前記推定手段は、前記出力値の時系列データと前記モデルパターンとのマッチングを行って前記メッキ鋼板の温度を推定する
ことを特徴とする請求項１または２に記載の温度計測装置。
【請求項４】
前記記憶手段は、前記実際の温度に対する前記検出手段の出力特性を示す少なくとも１つの極値を有するモデルパターンを記憶しており、
前記推定手段は、前記検出手段から取得した前記出力値に基づいて、前記モデルパターンにおける前記極値を境界とする複数の領域から何れかの領域を選択し、選択した前記領域から前記メッキ鋼板の温度を推定する
ことを特徴とする請求項１または２に記載の温度計測装置。
【請求項５】
請求項１から４の何れか１項に記載の温度計測装置と、
前記メッキ鋼板を加熱する加熱装置と、
を備え、前記温度計測装置によって推定された温度に基づいて前記メッキ鋼板を所定温度まで加熱する
ことを特徴とするメッキ鋼板の加熱装置。
【請求項６】
請求項５に記載のメッキ鋼板の加熱装置と、
前記メッキ鋼板の加熱装置によって前記所定温度まで加熱された前記メッキ鋼板をプレス加工するプレス加工手段と、
を備えることを特徴とするメッキ鋼板のプレス装置。
【請求項７】
メッキ鋼板から放射される放射光の光量を検出し、検出光量に応じた値を出力する検出手段から出力値を取得する検出工程と、
前記検出手段の出力値と前記メッキ鋼板の実際の温度との間の予め記憶している対応関係、および前記検出工程で取得した前記出力値に基づいて前記メッキ鋼板の温度を推定する推定工程と、
を含むことを特徴とする温度計測方法。
【請求項８】
前記出力値に対して前記実際の温度の候補が複数存在する場合、前記推定工程において、前記検出工程で取得した前記出力値の時系列データに基づいて前記メッキ鋼板の温度を推定する
ことを特徴とする請求項７に記載の温度計測方法。
【請求項９】
前記対応関係は、前記実際の温度に対する前記検出手段の出力特性を示すモデルパターンであり、
前記推定工程において、前記検出工程で取得した前記出力値の時系列データと前記モデルパターンとのマッチングを行って前記メッキ鋼板の温度を推定する
ことを特徴とする請求項７または８に記載の温度計測方法。
【請求項１０】
前記対応関係は、前記実際の温度に対する前記検出手段の出力特性を示す少なくとも１つの極値を有するモデルパターンであり、
前記推定工程において、前記検出工程で取得した前記出力値に基づいて、前記モデルパターンにおける前記極値を境界とする複数の領域から何れかの領域を選択し、選択した前記領域から前記メッキ鋼板の温度を推定する
ことを特徴とする請求項７または８に記載の温度計測方法。
【請求項１１】
請求項７から１０の何れか１項に記載の温度計測方法と、
前記推定工程において推定された温度に基づいて前記メッキ鋼板を所定温度まで加熱する加熱工程と、
を含むことを特徴とするメッキ鋼板の加熱方法。
【請求項１２】
請求項１１に記載のプレス鋼板の加熱方法と、
前記加熱工程において前記所定温度まで加熱された前記メッキ鋼板をプレス加工するプレス加工工程と、
を含むことを特徴とするメッキ鋼板のプレス方法。
【発明の詳細な説明】
【技術分野】
【０００１】
本発明は、温度計測装置、メッキ鋼板の加熱装置、メッキ鋼板のプレス装置、温度計測方法、メッキ鋼板の加熱方法、およびメッキ鋼板のプレス方法に関する。
【背景技術】
【０００２】
近年、自動車の軽量化による燃費向上および安全性能の向上を目的とした薄板鋼板の高強度化に伴い、様々な鋼板加工技術が開発されている。その中の一つとして、高温加熱した鋼板を熱間でプレス加工し同時に焼入れを行うことで加工性に優れた高強度鋼板が得られるホットプレス技術が存在する。高温で成形するには、鋼板を適正温度まで加熱する必要があり、加熱方法として生産性の観点から素早く目標温度まで到達させることが可能である通電加熱方式がよく用いられている。また加熱制御方式として、鋼種・鋼板の大きさ等を限定して予め電流・電圧のパターンを決定し、そのパターンを用いて目標温度まで加熱する方法（特許文献１参照）や、加熱中に鋼板の温度を測定・制御する方法が存在する。後者では、生産性を考慮すると非接触の放射温度計で計測することが望ましい。
【０００３】
メッキ鋼板の放射率変動の影響を除外するため、多波長で計測しその関係性を用いることにより温度を計測する手法が存在する（特許文献２参照）。代表的なものとして放射光を２波長で計測し、その光量比を計算し理論曲線を用いて温度と対応させる手法が存在する。
【先行技術文献】
【特許文献】
【０００４】
【特許文献１】特開２０１１−８２００６号公報
【特許文献２】特開平５−２３１９４５号公報
【発明の概要】
【発明が解決しようとする課題】
【０００５】
特許文献１の技術では、鋼種や鋼板の大きさによりその都度電流電圧パターンを実験的に導出せねばならず生産性が低いという問題がある。また、鋼板の形状や大きさのばらつきがそのまま温度誤差となるため、目標温度に対する精度が十分でない場合が多いといった問題もある。
【０００６】
特許文献２の技術では、特許文献１と異なり加熱中に測温・制御を行う。ところで、ホットプレス技術に用いられる鋼板には焼き入れ時の表面酸化防止や耐食性の改善を目的として表面処理が施されていることが多く、成形時に高温加熱する際に温度変化に伴う表面性状の変化により放射率変動が発生する。このため、実際に放射温度計で計測を試みると表面メッキの溶融などにより２波長間の放射率の比が変化することが多く、測定値に大きな誤差が生じる。加熱時にメッキ鋼板の放射率が変動したとしても、その放射率の変動による影響を抑制しつつメッキ鋼板の温度を精度よく計測できることが望ましい。
【０００７】
本発明の目的は、加熱時におけるメッキ鋼板の放射率の変動による影響を抑制しつつメッキ鋼板の温度を計測することができる温度計測装置、メッキ鋼板の加熱装置、メッキ鋼板のプレス装置、温度計測方法、メッキ鋼板の加熱方法、およびメッキ鋼板のプレス方法を提供することである。
【課題を解決するための手段】
【０００８】
本発明の温度計測装置は、メッキ鋼板から放射される放射光の光量を検出し、検出光量に応じた値を出力する検出手段と、前記検出手段の出力値と前記メッキ鋼板の実際の温度との間の対応関係を記憶した記憶手段と、前記出力値および前記対応関係に基づいて前記メッキ鋼板の温度を推定する推定手段と、を備えたことを特徴とする。
【０００９】
上記温度計測装置において、前記推定手段は、前記出力値に対して前記実際の温度の候補が複数存在する場合、前記出力値の時系列データに基づいて前記メッキ鋼板の温度を推定することが好ましい。
【００１０】
上記温度計測装置において、前記記憶手段は、前記実際の温度に対する前記検出手段の出力特性を示すモデルパターンを記憶しており、前記推定手段は、前記出力値の時系列データと前記モデルパターンとのマッチングを行って前記メッキ鋼板の温度を推定することが好ましい。
【００１１】
上記温度計測装置において、前記記憶手段は、前記実際の温度に対する前記検出手段の出力特性を示す少なくとも１つの極値を有するモデルパターンを記憶しており、前記推定手段は、前記検出手段から取得した前記出力値に基づいて、前記モデルパターンにおける前記極値を境界とする複数の領域から何れかの領域を選択し、選択した前記領域から前記メッキ鋼板の温度を推定することが好ましい。
【００１２】
本発明のメッキ鋼板の加熱装置は、上記温度計測装置と、前記メッキ鋼板を加熱する加熱装置と、を備え、前記温度計測装置によって推定された温度に基づいて前記メッキ鋼板を所定温度まで加熱することを特徴とする。
【００１３】
本発明のメッキ鋼板のプレス装置は、上記メッキ鋼板の加熱装置と、前記メッキ鋼板の加熱装置によって前記所定温度まで加熱された前記メッキ鋼板をプレス加工するプレス加工手段と、を備えることを特徴とする。
【００１４】
本発明の温度計測方法は、メッキ鋼板から放射される放射光の光量を検出し、検出光量に応じた値を出力する検出手段から出力値を取得する検出工程と、前記検出手段の出力値と前記メッキ鋼板の実際の温度との間の予め記憶している対応関係、および前記検出工程で取得した前記出力値に基づいて前記メッキ鋼板の温度を推定する推定工程と、を含むことを特徴とする。
【００１５】
上記温度計測方法において、前記出力値に対して前記実際の温度の候補が複数存在する場合、前記推定工程において、前記検出工程で取得した前記出力値の時系列データに基づいて前記メッキ鋼板の温度を推定することが好ましい。
【００１６】
上記温度計測方法において、前記対応関係は、前記実際の温度に対する前記検出手段の出力特性を示すモデルパターンであり、前記推定工程において、前記検出工程で取得した前記出力値の時系列データと前記モデルパターンとのマッチングを行って前記メッキ鋼板の温度を推定することが好ましい。
【００１７】
上記温度計測方法において、前記対応関係は、前記実際の温度に対する前記検出手段の出力特性を示す少なくとも１つの極値を有するモデルパターンであり、前記推定工程において、前記検出工程で取得した前記出力値に基づいて、前記モデルパターンにおける前記極値を境界とする複数の領域から何れかの領域を選択し、選択した前記領域から前記メッキ鋼板の温度を推定することが好ましい。
【００１８】
本発明のメッキ鋼板の加熱方法は、上記温度計測方法と、前記推定工程において推定された温度に基づいて前記メッキ鋼板を所定温度まで加熱する加熱工程と、を含むことを特徴とする。
【００１９】
本発明のメッキ鋼板のプレス方法は、上記プレス鋼板の加熱方法と、前記加熱工程において前記所定温度まで加熱された前記メッキ鋼板をプレス加工するプレス加工工程と、を含むことを特徴とする。
【発明の効果】
【００２０】
本発明に係る温度計測装置は、メッキ鋼板から放射される放射光の光量を検出し、検出光量に応じた値を出力する検出手段と、検出手段の出力値とメッキ鋼板の実際の温度との間の対応関係を記憶した記憶手段と、対応関係に基づいてメッキ鋼板の温度を推定する推定手段と、を備える。本発明に係る温度計測装置によれば、加熱時に放射率が変動するメッキ鋼板であっても、予め記憶している対応関係に基づいて精度良くメッキ鋼板の温度を推定し計測することができるという効果を奏する。
【図面の簡単な説明】
【００２１】
【図１】図１は、第１実施形態に係るメッキ鋼板のプレス装置の概略構成図である。
【図２】図２は、第１実施形態に係るメッキ鋼板の加熱装置を示す図である。
【図３】図３は、第１実施形態に係る所定の対応関係の一例を示す図である。
【図４】図４は、第１実施形態のメッキ鋼板の加熱中における実際の温度に対する検出手段の出力値の推移を示す図である。
【図５】図５は、所定の対応関係に基づく補正後の温度の推移を示す図である。
【図６】図６は、第２実施形態に係る所定の対応関係を示す図である。
【図７】図７は、第２実施形態のメッキ鋼板の加熱中における実際の温度に対する検出手段の出力値の推移を示す図である。
【図８】図８は、状態遷移モデルを用いた補正後の温度の推移を示す図である。
【発明を実施するための形態】
【００２２】
以下に、本発明の実施形態に係る温度計測装置、メッキ鋼板の加熱装置、メッキ鋼板のプレス装置、温度計測方法、メッキ鋼板の加熱方法、およびメッキ鋼板のプレス方法につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００２３】
［第１実施形態］
図１から図５を参照して、第１実施形態について説明する。本実施形態は、温度計測装置、メッキ鋼板の加熱装置、メッキ鋼板のプレス装置、温度計測方法、メッキ鋼板の加熱方法、およびメッキ鋼板のプレス方法に関する。図１は、本発明の第１実施形態に係るメッキ鋼板のプレス装置の概略構成図である。
【００２４】
図１に示す本実施形態に係るメッキ鋼板のプレス装置１００は、メッキ鋼板１をプレス加工する。加工対象のメッキ鋼板１は、例えば、亜鉛メッキ鋼板である。メッキ鋼板のプレス装置１００は、メッキ鋼板の加熱装置２と、メッキ鋼板１をプレス加工するプレス加工手段３とを有する。
【００２５】
メッキ鋼板の加熱装置２は、後述する温度計測装置４によって推定された温度に基づいてメッキ鋼板１を所定温度まで加熱する。プレス加工手段３は、メッキ鋼板の加熱装置２によって所定温度まで加熱されたメッキ鋼板１をプレス加工する。メッキ鋼板の加熱装置２によって加熱されたメッキ鋼板１は、搬送ロール等の搬送手段によってプレス加工手段３に搬送される。本実施形態のプレス加工手段３は、ハウジング３１と、一対のワークロール３２，３２と、一対のバックアップロール３３，３３とを有する。プレス加工手段３は、ワークロール３２，３２によってメッキ鋼板１を熱間圧延する。
【００２６】
メッキ鋼板の加熱装置２は、温度計測装置４と、加熱装置５とを有する。本実施形態の温度計測方法の概略について説明する。まず、メッキ鋼板１の信頼できる温度値と、それに対応する表面性状の推移が反映される計測値を予め測定しておく。加熱装置５によりメッキ鋼板１を加熱する際に、温度計測装置４は予め測定した表面性状の推移の情報と加熱中の検出手段４３の測定値から表面性状の推移を推定し考慮して真の温度を求める。これにより、加熱中に放射率が変動したとしても、その変動の影響を受けずにメッキ鋼板１の温度を推定することが可能となる。メッキ鋼板の加熱装置２は、温度計測装置４が推定した温度に基づいて加熱装置５による温度制御を行う。プレス加工手段３は、加熱装置５によって所定温度まで加熱されたメッキ鋼板１をプレス加工する。
【００２７】
温度計測装置４は、集光部４１と、光ファイバー４２と、検出手段４３と、推定手段４４と、記憶手段４５を有する。集光部４１は、メッキ鋼板１の表面１ａと対向する位置に配置される。集光部４１は、メッキ鋼板１の表面１ａと対向するレンズを有する。集光部４１は、このレンズによってメッキ鋼板１から放射される放射光を光ファイバー４２に集光する。光ファイバー４２は、導光部材であり、集光部４１のレンズから入射する光を制御装置６の検出手段４３に導く。検出手段４３は、光ファイバー４２によって伝送された光の強さ（光量）を検出し、検出光量に応じた値を出力する。本実施形態の検出手段４３は、検出光量に応じた値として、メッキ鋼板１の温度を示す信号を出力する。検出手段４３は、例えば、メッキ鋼板１の放射率が一定であるという前提のもとで、検出した光量に応じた温度値を出力する。
【００２８】
制御装置６の制御部６１は、検出手段４３と電気的に接続されており、検出手段４３の出力値を取得する。制御部６１は、所定の周期、例えば１０［msec］から数１０［msec］程度の間隔で検出手段４３の出力値を取得し、この出力値の時系列データを生成し記憶する。出力値の取得間隔は、一定であることが好ましい。
【００２９】
加熱装置５は、電極５１ａ，５１ｂと、電源５２と、温度制御部５３とを有する。加熱装置５は、電極５１ａ，５１ｂ間に電圧をかけ、メッキ鋼板１に大電流を流すことによりメッキ鋼板１の温度を上昇させる。第一電極５１ａは、メッキ鋼板１の幅方向（または長手方向）の一端に配置され、第二電極５１ｂは、メッキ鋼板１の幅方向（または長手方向）の他端に配置される。第一電極５１ａおよび第二電極５１ｂは、メッキ鋼板１を厚さ方向の両側から挟み込む。電極５１ａ，５１ｂは、電源５２と接続されている。
【００３０】
電源５２は、第一電極５１ａと第二電極５１ｂとの間の電圧値を調節可能である。電源５２による印可電圧は、温度制御部５３によって制御される。温度制御部５３は、予め定められた加熱速度でメッキ鋼板１の温度を上昇させるように、電源５２の印可電圧を調節する。温度制御部５３は、温度計測装置４によって推定された温度に基づいて、推定温度の上昇率が目標とする温度上昇率となるように、印可電圧を調節する。また、温度制御部５３は、温度計測装置４によって推定された温度が所定温度となるまでメッキ鋼板１を加熱する。所定温度は、プレス加工手段３による加工内容に応じて予め定められている。本実施形態の加熱装置５は、例えば、メッキ鋼板１を９００［℃］まで加熱する。
【００３１】
制御装置６は、検出手段４３および制御部６１を有する。制御部６１は、温度計測装置４を構成する推定手段４４および記憶手段４５と、加熱装置５を構成する温度制御部５３とを有する。制御部６１は、例えば、ワークステーションやパソコン等の汎用のコンピュータであっても、専用の電子制御ユニット等であってもよい。記憶手段４５としては、フラッシュメモリ等のＲＯＭ、あるいはハードディスクやＣＤ−ＲＯＭ等の記録媒体等を用いることができる。記憶手段４５は、検出手段４３の出力値とメッキ鋼板１の実際の温度（信頼できる温度）との間の対応関係、および推定手段４４や温度制御部５３が実行するプログラム等を予め記憶している。
【００３２】
図２を参照して、検出手段４３の出力値とメッキ鋼板１の実際の温度との間の対応関係（以下、単に「所定の対応関係」と称する。）を取得する方法の一例について説明する。所定の対応関係は、事前実験によって取得されるものであり、実際の温度に対する検出手段４３の出力特性を示す。図２に示すように、事前実験では、メッキ鋼板１における放射温度計測箇所１ｃにメッキ鋼板１の温度の真値（実際の温度）を計測する熱電対７が設置される。放射温度計測箇所１ｃは、集光部４１が有するレンズの光軸の延長線上の位置である。熱電対７を設置することによる検出手段４３の検出値への影響を避けるため、熱電対７の設置箇所は、メッキ鋼板１の厚みが薄ければ裏面１ｂ側に、厚みが厚ければ表面１ａの放射温度計測箇所１ｃから少しずらした位置が好ましい。
【００３３】
事前実験では、データロガー８が熱電対７および制御部６１に接続される。データロガー８は、熱電対７によって計測されたメッキ鋼板１の温度と、検出手段４３から出力された出力値のそれぞれを記録する。事前実験では、加熱装置５によってメッキ鋼板１を加熱しながら、熱電対７の計測温度、および検出手段４３が出力する温度をデータロガー８によって記録させる。メッキ鋼板１の初期温度をＴｏ、目標到達温度をＴ１とする。加熱装置５によってメッキ鋼板１を目標到達温度をＴ１付近あるいは目標到達温度をＴ１以上に加熱し、温度上昇中に同一時刻の検出手段４３と熱電対７の対応するデータをデータロガー８によって取得する。
【００３４】
加熱中の熱電対７の計測温度をＴとし、検出手段４３から出力される温度をＴｒとし、両者の関係を表すパターンを関数ｆを用いてＴｒ＝ｆ（Ｔ）と標記する。熱電対７と検出手段４３の計測遅延の影響を除外するため、加熱速度によるメッキ鋼板１の表面性状変化の影響が出ない範囲で緩やかに加熱することが望ましい。また、鋼種や表面処理の違いにより、メッキ鋼板１の温度の真値と検出手段４３の測定値との関係が異なる。このため、鋼種や表面処理ごとに別の事前実験によって所定の対応関係が取得される。
【００３５】
図３には、事前実験によって取得された所定の対応関係の一例が示されている。図３において、横軸は熱電対７によって計測されたメッキ鋼板１の温度、縦軸は検出手段４３から出力されたメッキ鋼板１の温度（出力値）である。熱電対７によって計測された温度は、メッキ鋼板１の真の温度、または真の温度に近い信頼できる温度であると考えられる。本明細書では、熱電対７によって計測された温度を「実際の温度Ｔ」とも称する。実際の温度Ｔは、加熱によるメッキ鋼板１の表面性状の変化の影響を受けることなく計測された値といえる。図３に示すように、検出手段４３の出力値Ｔｒは、実際の温度Ｔに対して低温側に乖離している。これは、加熱されて高温となることでメッキ鋼板１の表面性状が変化するためと考えられる。メッキ鋼板１の亜鉛合金が溶融してメッキ鋼板１の放射率が低下することで、検出手段４３の出力値Ｔｒが実際の温度Ｔに対して低温側にシフトしてしまう。
【００３６】
これに対して、本実施形態の温度計測装置４は、メッキ鋼板１が通電加熱される際に、事前実験により得られた表面性状の情報（所定の対応関係）を用いて検出手段４３で得られた値を逐次補正する。事前実験により測定したパターンによる補正がなされることで、精度よくメッキ鋼板１の温度を推定することが可能となる。また、加熱装置５は、逐次補正された温度に基づいて電源５２の印可電圧をフィードバック制御する。これにより、メッキ鋼板の加熱装置２は、所望の上昇速度で、かつ精度よくメッキ鋼板１の温度を目標到達温度Ｔ１まで上昇させることができる。
【００３７】
推定手段４４は、メッキ鋼板１の温度の推定を行う。本実施形態の温度推定方法の具体的な内容について説明する。まず、事前実験により得られた所定の対応関係を示す関数ｆが予め決定される。関数ｆは、例えば、既知の手法により適宜定められる。関数ｆが逆関数を持つ場合、すなわち熱電対７の１つの計測値に対して出力値Ｔｒが１対１対応する場合、メッキ鋼板１の推定温度Ｔ’は、下記［数１］を用いて計算できる。
【数１】
2016188826.tif 000003
【００３８】
（第１実施形態の実施例）
図３の所定の対応関係に基づいてメッキ鋼板１の温度を推定した実施例について説明する。図４は、メッキ鋼板の加熱中における実際の温度に対する検出手段の出力値の推移を示す図、図５は、所定の対応関係に基づく補正後の温度の推移を示す図である。図４の出力値Ｔｒの推移は、メッキ鋼板１の表面に熱電対７を溶接し、検出手段４３と同期させた状態で加熱装置５によりメッキ鋼板１を加熱し、加熱時における鋼板温度の真値（熱電対７で計測）に対する検出手段４３の出力値Ｔｒの推移を記録したものである。実施例では、事前実験と異なり、実際の加熱工程においてメッキ鋼板１を加熱する際の温度上昇率でメッキ鋼板１の温度を上昇させた。
【００３９】
図５において、横軸は熱電対７によって計測された実際の温度Ｔ、縦軸は、所定の対応関係に基づく上記［数１］によって推定されたメッキ鋼板１の温度（推定温度）Ｔ’を示す。出力値Ｔｒと実際の温度Ｔとの差分の標準偏差σは３７．１［℃］、補正後の推定温度Ｔ’と実際の温度Ｔとの差分の標準偏差σは９．２［℃］であった。このように、第１実施形態の温度計測装置４は、精度よくメッキ鋼板１の温度を計測することができる。
【００４０】
以上説明したように、第１実施形態に係る温度計測装置４は、メッキ鋼板１から放射される放射光の光量を検出し、検出光量に応じた値を出力する検出手段４３と、検出手段４３の出力値Ｔｒとメッキ鋼板１の実際の温度Ｔとの間の対応関係（所定の対応関係）を記憶した記憶手段４５と、出力値Ｔｒおよび対応関係に基づいてメッキ鋼板１の温度を推定する推定手段４４と、を有している。本実施形態の温度計測装置４は、温度上昇によってメッキ鋼板１の表面性状が変化する場合であっても、予め記憶している対応関係に基づいて精度良くメッキ鋼板１の温度を推定することができる。
【００４１】
また、第１実施形態に係るメッキ鋼板の加熱装置２は、温度計測装置４と、メッキ鋼板１を加熱する加熱装置５と、を有し、温度計測装置４によって推定された温度に基づいてメッキ鋼板１を所定温度まで加熱する。メッキ鋼板の加熱装置２は、温度計測装置４によって精度良く推定される温度に基づいてメッキ鋼板１を加熱することで、メッキ鋼板１の温度を精度良く目標到達温度Ｔ１に合わせ込むことができる。
【００４２】
第１実施形態に係るメッキ鋼板のプレス装置１００は、メッキ鋼板の加熱装置２と、メッキ鋼板の加熱装置２によって所定温度まで加熱されたメッキ鋼板１をプレス加工するプレス加工手段３と、を有する。メッキ鋼板のプレス装置１００は、メッキ鋼板の加熱装置２によって高精度な温度制御を実行し、加工精度を向上させることができる。これにより、高品質な製品製造が可能となる。
【００４３】
本実施形態の温度計測方法は、メッキ鋼板１から放射される放射光の光量を検出し、検出光量に応じた値を出力する検出手段４３から出力値を取得する検出工程と、検出手段４３の出力値Ｔｒとメッキ鋼板１の実際の温度Ｔとの間の予め記憶している対応関係、および検出工程で取得した出力値Ｔｒに基づいてメッキ鋼板１の温度を推定する推定工程と、を含む。本実施形態の温度計測方法は、予め記憶している対応関係に基づいて精度良くメッキ鋼板１の温度を推定することができる。なお、温度計測方法は、更に、予め検出手段４３の出力値Ｔｒとメッキ鋼板１の実際の温度Ｔとの間の対応関係を計測する事前計測工程を含んでもよい。
【００４４】
また、第１実施形態に係るメッキ鋼板の加熱方法は、上記の温度計測方法と、推定工程において推定された温度に基づいてメッキ鋼板１を所定温度まで加熱する加熱工程と、を含む。推定工程と加熱工程は、並行して、または交互に実行される。推定工程において高精度にメッキ鋼板１の温度が推定されることで、加熱工程によってメッキ鋼板１の温度を精度良く目標到達温度Ｔ１に合わせ込むことができる。
【００４５】
第１実施形態に係るメッキ鋼板のプレス方法は、上記のプレス鋼板の加熱方法と、加熱工程において所定温度まで加熱されたメッキ鋼板１をプレス加工するプレス加工工程と、を含む。このメッキ鋼板のプレス方法は、推定工程および加熱工程によって高精度な温度制御を実行し、メッキ鋼板１の加工精度を向上させることができる。
【００４６】
［第２実施形態］
図６から図８を参照して、第２実施形態について説明する。第２実施形態については、上記第１実施形態で説明したものと同様の機能を有する構成要素には同一の符号を付して重複する説明は省略する。第２実施形態において、上記第１実施形態と異なる点は、検出手段４３の検出値Ｔｒと実際の温度Ｔが１対１対応していない所定の対応関係にも対応可能な点である。図６は、第２実施形態に係る所定の対応関係を示す図である。図６に示す所定の対応関係では、検出手段４３の出力値Ｔｒに対して実際の温度Ｔの候補が複数存在する領域がある。
【００４７】
図６に示すように、第２実施形態の所定の対応関係を示す関数は、極値Ｔｒａ，Ｔｒｂを有する。第１の極値Ｔｒａは、極大値であり、これに対応する実際の温度Ｔは第１の温度Ｔａである。第２の極値Ｔｒｂは極小値であり、これに対応する実際の温度Ｔは第２の温度Ｔｂである。第１の極値Ｔｒａと第２の極値Ｔｒｂとの間の温度帯では、出力値Ｔｒに対して実際の温度Ｔの候補が複数存在している。このため１つの出力値Ｔｒだけから実際の温度Ｔを精度良く決定することは難しい。
【００４８】
本実施形態の温度計測装置４は、予め測定した信頼できる温度値に対応する検出手段４３の出力値の軌跡と、加熱中の検出手段４３の加熱開始からの出力値の軌跡とを比較することによってメッキ鋼板１の温度の真値を推定する。これにより、メッキ鋼板１の温度の真値と検出手段４３の出力値が１対１対応しておらず煩雑なパターンをしていても精度良く検出手段４３の出力値からメッキ鋼板１の温度の真値を追従することが可能となる。
【００４９】
第２実施形態の推定手段４４は、メッキ鋼板１の加熱中における検出手段４３の出力値Ｔｒの時系列データ、すなわち出力値Ｔｒの軌跡に基づいてメッキ鋼板１の温度を推定する。推定手段４４は、加熱開始からの検出手段４３の出力値Ｔｒの軌跡と、所定の対応関係のパターンを比較して、複数の実際の温度Ｔの候補から最も確からしい温度を決定する。具体的には、推定手段４４は、以下に説明するように過去の軌跡情報を用いて状態遷移に分割する。
【００５０】
事前の準備として、以下の（１）から（３）の手順が実行される。
（１）所定の対応関係から導出された関数Ｔｒ＝ｆ（Ｔ）が極値をとる実際の温度Ｔの値Ｔａ，Ｔｂ，Ｔｃ…が導出される。
（２）導出された温度に基づいて、所定の対応関係を示す関数ｆ（Ｔ）がＴｒ＝ｆａ（Ｔ）；（Ｔｏ＜Ｔ＜Ｔａ）、Ｔｒ＝ｆｂ（Ｔ）；（Ｔａ＜Ｔ＜Ｔｂ）、Ｔｒ＝ｆｃ（Ｔ）；（Ｔｂ＜Ｔ＜Ｔｃ）、…のように複数の温度領域に分割される。分割されたそれぞれの温度領域では、関数ｆａ，ｆｂ，ｆｃ，…において、出力値Ｔｒと実際の温度Ｔは１対１対応する。
（３）分割された関数ｆａ，ｆｂ，ｆｃ，…についてそれぞれ温度範囲を示す状態Ｓ（Ｓａ，Ｓｂ，Ｓｃ，…）を定義し、第１の状態Ｓａ→第２の状態Ｓｂ→第３の状態Ｓｃ→…となる状態遷移モデルと遷移条件を構築する。
【００５１】
実際にメッキ鋼板１の温度を計測する場合には、検出手段４３の出力値Ｔｒ、状態遷移モデル、および遷移条件を用いて、現在の状態Ｓ（Ｓａ，Ｓｂ，Ｓｃ，…）を判定する。なお、状態Ｓの初期条件は予め制御部６１に与えられる。例えば、加熱開始時の状態Ｓは、第１の状態Ｓａという条件が与えられる。各状態Ｓａ，Ｓｂ，Ｓｃ，…では、対応する関数ｆａ，ｆｂ，ｆｃ，…は逆行列を持ち、出力値Ｔｒから実際の温度Ｔを一意に決めることが可能である。
【００５２】
遷移条件の典型的な例について説明する。第１の例として、検出手段４３の出力値Ｔｒの増減が、現在の状態Ｓに対応する関数ｆの傾きと逆符号となったら、状態Ｓが遷移したと判定される。図６を参照して説明すると、現在の状態Ｓが第１の状態Ｓａである場合、対応する第１の関数ｆａの傾きは、実際の温度Ｔの増加に対して出力値Ｔｒが増加する正の傾きである。遷移先の第２の状態Ｓｂに対応する第２の関数ｆｂの傾きは負である。従って、現在の状態Ｓが第１の状態Ｓａである場合に、出力値Ｔｒの増減が増加から減少に変化した場合、第２の状態Ｓｂに遷移したと判定することができる。
【００５３】
第２の例として、検出手段４３の出力値Ｔｒの大きさが現在属している状態Ｓに対応する関数の上端（または下端）に所定以上に接近したら状態が遷移したと判定される。例えば、第１の状態Ｓａに対応する第１の関数ｆａの上限値は第１の極値Ｔｒａである。検出手段４３の出力値Ｔｒと第１の極値Ｔｒａとの差分が所定の閾値以下となったら、第２の状態Ｓｂに遷移したと判定することができる。
【００５４】
第３の例として、各状態Ｓ（Ｓａ，Ｓｂ，Ｓｃ，…）において予測モデルを立て、予測モデルによる予測値が現在属している状態Ｓから外れたら次の状態Ｓに遷移したと判定される。一例として、現在の状態Ｓが第１の状態Ｓａである場合、現在の推定温度Ｔ’と、対応する関数ｆａ、およびメッキ鋼板１の温度上昇率に基づいて検出手段４３の出力値Ｔｒが予測される。この予測値と実際の出力値Ｔｒとの乖離が大きい場合、第２の状態Ｓｂに遷移したと判定することができる。
【００５５】
第２実施形態では、上記の第１の例および第２の例を組み合わせた遷移条件が設定される。検出手段４３の出力値Ｔｒが現在の状態Ｓに対応する関数ｆの上限値（または下限値）に２０［℃］以内に接近し、かつ出力値Ｔｒの増減が現在の状態Ｓの関数ｆの傾きと逆方向である場合、次の状態に遷移したと判断される。推定手段４４は、現在の状態Ｓに対応する関数ｆ（ｆａ，ｆｂ，ｆｃ，…）の逆関数に基づいて推定温度Ｔ’を算出する。これにより、最も確からしいメッキ鋼板１の温度を推定することが可能となる。
【００５６】
このように、本実施形態では、予め測定した信頼できる温度値に対応する検出手段４３による出力値の軌跡を表面性状の変化が大きい地点で複数の状態に分割している。加熱開始からの検出手段４３の出力値からまず計測時点の状態が推定され、推定された状態の情報を用いて鋼板温度の真値が算出される。これにより、メッキ鋼板１の温度の真値と検出手段４３の出力値が１対１対応しておらず煩雑なパターンをしていても精度良く検出手段４３の出力値から鋼板温度の真値を追従することが可能となる。
【００５７】
（第２実施形態の実施例）
図６の所定の対応関係に基づく状態遷移モデルを用いてメッキ鋼板１の温度を推定した実施例について説明する。図７は、第２実施形態のメッキ鋼板の加熱中における実際の温度に対する検出手段の出力値の推移を示す図、図８は、状態遷移モデルを用いた補正後の温度の推移を示す図である。図８に示すように、状態遷移モデルを用いた温度補正により、推定温度Ｔ’と実際の温度Ｔとの乖離量は、出力値Ｔｒと実際の温度Ｔとの乖離量と比較して低減している。出力値Ｔｒと実際の温度Ｔとの差分の標準偏差σは５１．９［℃］、補正後の推定温度Ｔ’と実際の温度Ｔとの差分の標準偏差σは１１．２［℃］であった。状態遷移モデルを用いることにより、高精度にメッキ鋼板１の温度を推定できることが確認された。
【００５８】
なお、昇温加速度や統計モデル、通電時における電圧、電流情報もしくはメッキ鋼板１の加熱モデルなどを用いて予測を行い、現在の推定温度Ｔ’から前後一定範囲のみを探索する等、整合窓をモデルから定義し探索範囲を制御しながら追従させてもよい。加熱モデルを用いた追従制度向上の具体例について述べる。通電時における電圧・電流のデータと加熱モデルを用いて前回測定からの実際の温度Ｔの上昇分を計算し、その予測値を用いて誤差を補正しながらパターンを追従する方法である。電流値をＩ、電圧値をＶ、鋼板の重量をＭ、鋼板の比熱をｃ、サンプリング周期をΔｔとすると、推定温度上昇値ΔＴは下記［数２］で表される。
【数２】
2016188826.tif 000004
【００５９】
推定温度上昇値ΔＴを用いて誤差を評価しフィードバックして追従させる手法、軌跡追従の際の整合窓を定義して探索範囲を限定する手法、評価関数を定義して推定温度上昇値ΔＴ周辺に推定値が来るよう評価するなどの手法が考えられる。また、輻射熱による抜熱を入れ込めば、より高精度な予測が可能となる。
【００６０】
以上説明したように、第２実施形態の推定手段４４は、検出手段４３の出力値Ｔｒに対して実際の温度Ｔの候補が複数存在する場合、出力値Ｔｒの時系列データに基づいて実際の温度Ｔを推定する。よって、所定の対応関係において出力値Ｔｒと実際の温度Ｔが１対１対応していない場合であっても、メッキ鋼板１の温度を精度良く推定することが可能となる。
【００６１】
また、第２実施形態の記憶手段４５は、実際の温度Ｔに対する検出手段４３の出力特性を示す少なくとも１つの極値を有するモデルパターン（特性関数、特性曲線）を記憶している。推定手段４４は、検出手段４３から取得した出力値Ｔｒに基づいて、モデルパターンにおける極値を境界とする複数の領域（第１の状態Ｓａ、第２の状態Ｓｂ、第３の状態Ｓｃ、…）から何れかの領域（状態Ｓ）を選択し、選択した領域から実際の温度Ｔを推定する。推定手段４４は、例えば、第１の状態Ｓａを選択した場合、第１の状態Ｓａの温度範囲から実際の温度Ｔを決定する。典型的には、推定手段４４は、第１の状態Ｓａに対応する第１の関数ｆａの逆関数によって実際の温度Ｔを推定する。このように選択した領域から温度を推定することにより、精度良くメッキ鋼板１の温度を推定することができる。
【００６２】
［第３実施形態］
第３実施形態について説明する。第３実施形態については、上記第１実施形態および第２実施形態で説明したものと同様の機能を有する構成要素には同一の符号を付して重複する説明は省略する。第３実施形態において、上記各実施形態と異なる点は、パターンマッチングを用いてメッキ鋼板１の温度を推定する点である。本実施形態の推定手段４４は、加熱開始からの検出手段４３の出力値Ｔｒの軌跡と、所定の対応関係（例えば、図６に示す対応関係）の一部との一致度を評価し比較することにより、メッキ鋼板１の温度を推定する。
【００６３】
推定手段４４は、加熱中の初期状態からの検出手段４３の出力値Ｔｒを記録しておき、動的計画法（ＤＰマッチング等）を用いて、予め記録しておいた所定の対応関係における出力値Ｔｒの軌跡のどの領域に対応するかを軌跡間の一致度を評価することにより算出する。加熱装置５によるメッキ鋼板１の加熱が開始されて、検出手段４３から出力値ＴｒをＮ回取得したとする。検出手段４３の出力値Ｔｒの時系列データをＴｒ'(ｎ)；ｎ＝１，２，３，…，Ｎとし、所定の対応関係のパターンＴｒ(ｍ)；ｍ＝１，２，３，…，Ｍの部分パターンをＴｒ(ｍ)；ｍ＝１，２，３，…，Ｍ’（１≦Ｍ’≦Ｍ）とする。２データに対して、ｎ＝ｋｍ（ｍ＝１，２，３，…，Ｍ’）と対応させるようＤＰマッチングを行ったときの距離関数は、下記［数３］となる。
【数３】
2016188826.tif 000005
【００６４】
［数３］の距離関数を用いて、コスト関数を下記［数４］のように表記する。
【数４】
2016188826.tif 000006
【００６５】
このコスト関数を、パラメータＭ’を振りながら最小化し、移動距離で正規化して比較する。その結果、最もコストが小さくなるＭ’を検出手段４３の出力値Ｔｒに対応する予め計測したモデルパターン上の位置Ｍ＊’とする（下記［数５］）。最小コストとなる位置Ｍ＊’から、時系列データ中の最新の出力値Ｔｒのモデルパターン上における位置が決定され、この出力値Ｔｒに対応するメッキ鋼板１の温度が推定される。
【数５】
2016188826.tif 000007
【００６６】
なお、ＤＰマッチングについては、例えば、下記の参考文献がある。ＤＰマッチングのコストは一致度の指標の一例であり、軌跡の特徴量を比較するなど別の評価を用いてもよい。
参考文献：内田誠一，”［特別講演］ＤＰマッチング概説  〜基本と様々な拡張〜”，信学技報，ＰＲＭＵ２００６−１６６，Ｄｅｃ．２００６．
【００６７】
上記のような予測モデルを用いることにより、加熱中の鋼板温度の真値と検出手段４３の出力値が１対１対応していなくとも温度履歴を再現し、メッキ鋼板１の温度を目標到達温度Ｔ１に合わせ込むことが可能となる。
【００６８】
以上説明したように、第３実施形態の記憶手段４５は、実際の温度Ｔに対する検出手段４３の出力特性を示すモデルパターンを記憶している。推定手段４４は、加熱時の出力値Ｔｒの時系列データとモデルパターンとのマッチングを行って実際の温度Ｔを推定する。これにより、加熱中の実際の温度Ｔの推移を推定し、現在のメッキ鋼板１の温度を精度良く推定することができる。
【００６９】
［各実施形態の第１変形例］
上記第１実施形態乃至第３実施形態の第１変形例について説明する。上記各実施形態では、所定の対応関係がメッキ鋼板１の実際の温度Ｔと出力値Ｔｒとの関係を示す物であったが、これには限定されない。所定の対応関係は、光量から温度が算出可能なパラメータとの対応関係であって、例えば、メッキ鋼板１の実際の温度Ｔとメッキ鋼板１の実際の放射率との対応関係であってもよい。この対応関係は、事前実験によって取得することが可能である。熱電対７により計測した実際の温度に対する放射率変動のパターンを事前実験により取得しておき、加熱時にこの変動パターンに基づいて検出手段４３の出力値を補正してメッキ鋼板１の温度を推定し、加熱制御することが可能である。
【００７０】
［各実施形態の第２変形例］
上記第１実施形態乃至第３実施形態の第２変形例について説明する。検出手段４３から取得した出力値Ｔｒを逐次補正することなく、目標到達温度Ｔ１に基づいて加熱終了を判定するようにしてもよい。例えば、加熱装置５は、メッキ鋼板１の加熱プロセスにおいて、出力値Ｔｒが目標到達温度Ｔ１に対応する値ｆ（Ｔ１）に到達するまで加熱を行うようにしてもよい。加熱中のメッキ鋼板１の温度は必ずしも正確に求められないため温度履歴の合わせ込みは出来ないが、加熱途中において実際の温度Ｔと出力値Ｔｒが１対１対応していなくてもメッキ鋼板１の温度を最終的な目標温度に合わせ込むことができる。なお、この加熱制御では、所定の対応関係において目標到達温度Ｔ１と出力値Ｔｒが１対１対応していることが望ましい。また、目標到達温度Ｔ１に対応する放射率を推定して利用しても同様の補正が可能である。
【００７１】
なお、メッキ鋼板１の実際の温度を計測する手段は、熱電対７に限定されるものではなく、メッキ鋼板１の表面温度が正確に測温可能な手法であればよい。事前実験における温度計測手段は、メッキ鋼板１の表面性状の変化による影響を受けないものであることが望ましく、例えば接触式であることが好ましい。
【００７２】
上記の各実施形態および変形例に開示された内容は、適宜組み合わせて実行することができる。
【符号の説明】
【００７３】
１  メッキ鋼板
１ａ  表面
１ｂ  裏面
１ｃ  放射温度計測箇所
２  メッキ鋼板の加熱装置
３  プレス加工手段
４  温度計測装置
４１  集光部
４２  光ファイバー
４３  検出手段
４４  推定手段
４５  記憶手段
５  加熱装置
５１ａ  第一電極
５１ｂ  第二電極
５２  電源
５３  温度制御部
６  制御装置
６１  制御部
７  熱電対
８  データロガー
１００  メッキ鋼板のプレス装置
Ｔ  実際の温度
Ｔｒ  出力値
Ｔｒａ  第１の極値
Ｔｒｂ  第２の極値
Ｓａ  第１の状態
Ｓｂ  第２の状態
Ｓｃ  第３の状態
【図１】
2016188826.tif 000008
【図２】
2016188826.tif 000009
【図３】
2016188826.tif 000010
【図４】
2016188826.tif 000011
【図５】
2016188826.tif 000012
【図６】
2016188826.tif 000013
【図７】
2016188826.tif 000014
【図８】
2016188826.tif 000015